(57)【要約】【課題】ハエやゴキブリ等の害虫を特別の技術を必要とすることなく誰でも簡単に捕獲し処理することができる虫取り具を提供する。【解決手段】上記課題を解決するために本考案の虫取り具１は、電気掃除機３の吸込みノズル３５に付け替えて使用され、電気掃除機３の吸込みホース５の先端部７に対して取り付けられ先端部内周面に雌ネジ部１７が形成されている筒状のホルダ部９と、該ホルダ部９の先端側に取り付けられ、上記雌ネジ部１７と螺合する雄ネジ部２９が基端部外周面に形成されている先窄まり筒形状のノズル部１１と、ホルダ部９とノズル部１１の境界に位置し挟持状態で保持されると共に害虫Ａのホルダ部９側への移動は許容するが、ノズル部１１側への移動を規制する捕獲蓋１３と、該捕獲蓋１３に対して取り付けられる通気性を有する捕獲袋１５とを備えている。【選択図】        図２
0003116542.tif 000002
【実用新案登録請求の範囲】
【請求項１】
電気掃除機の吸込みノズルを取り外し、吸込みノズルに付け替えて使用される害虫捕獲用の虫取り具において、該虫取り具は電気掃除機の吸込みホースの先端部に対して取り付けられる筒状のホルダ部と、該ホルダ部の先端側に取り付けられる筒形状のノズル部と、前記ホルダ部とノズル部の境界に位置しホルダ部とノズル部によって挟持状態で保持されると共に害虫のホルダ部側への移動は許容するが、捕獲した害虫のノズル部側への移動を規制する捕獲蓋と、該捕獲蓋に対して取り付けられる通気性を有する捕獲袋とを備えていることを特徴とする虫取り具。
【請求項２】
請求項１に記載した虫取り具において、前記捕獲蓋は円板形状をしており、その中央にはホルダ部側に起き上がり傾向が付与された弾性フラップが複数枚先窄まり状態で設けられていることを特徴とする虫取り具。
【請求項３】
請求項１または２に記載した虫取り具において、前記捕獲袋は所定メッシュの網状の袋によって構成されていることを特徴とする虫取り具。
【請求項４】
請求項１〜３のいずれか１項に記載した虫取り具において、前記捕獲蓋と捕獲袋は一体に形成されていることを特徴とする虫取り具。
【考案の詳細な説明】
【技術分野】
【０００１】
本考案は、既存の電気掃除機の吸込みノズルに付け替えて使用できるハエやゴキブリ等の害虫を捕獲するための虫取り具に関するものである。
【背景技術】
【０００２】
ハエやゴキブリ等の害虫を捕獲する従来の虫取り具としては粘着剤等を塗布ないし貼設した吊下げ式の捕獲シートや捕獲箱が知られている。そしてこれらの虫取り具を捕獲しようとする害虫の移動経路を予想して配置することによって当該虫取り具は使用される。
【０００３】
しかし上記の虫取り具は言わば待ち伏せ状態で害虫を捕獲するものであり、害虫を発見した時、直ちにこちらから積極的に害虫を捕獲することはできない。またハエたたき等の虫取り具を使用すれば発見した害虫を直ちに捕獲することが可能であるが、素早く移動する害虫を捕獲するには相応の技術が必要であり、捕獲後の害虫の処理を嫌う使用者も少なくない。
【考案の開示】
【考案が解決しようとする課題】
【０００４】
本考案は、上記の背景技術及び背景技術が抱えていた問題点の存在を踏まえてなされたものであって、特別の技術を必要とすることなく、既存の電気掃除機を使用して誰でも簡単に害虫を捕獲することができ、捕獲後の害虫の処理の容易な使い勝手の良い虫取り具を提供することを課題とするものである。
【課題を解決するための手段】
【０００５】
上記課題を解決するために請求項１に記載した考案は、電気掃除機の吸込みノズルを取り外し、吸込みノズルに付け替えて使用される害虫捕獲用の虫取り具において、該虫取り具は電気掃除機の吸込みホースの先端部に対して取り付けられる筒状のホルダ部と、該ホルダ部の先端側に取り付けられる筒形状のノズル部と、前記ホルダ部とノズル部の境界に位置しホルダ部とノズル部によって挟持状態で保持されると共に害虫のホルダ部側への移動は許容するが、捕獲した害虫のノズル部側への移動を規制する捕獲蓋と、該捕獲蓋に対して取り付けられる通気性を有する捕獲袋とを備えていることを特徴とする虫取り具である。
【０００６】
請求項２に記載した考案は、請求項１に記載した虫取り具において、前記捕獲蓋は円板形状をしており、その中央にはホルダ部側に起き上がり傾向が付与された弾性フラップが複数枚先窄まり状態で設けられていることを特徴とする虫取り具である。
【０００７】
請求項３に記載した考案は、請求項１または２に記載した虫取り具において、前記捕獲袋は所定メッシュの網状の袋によって構成されていることを特徴とする虫取り具である。
【０００８】
請求項４に記載した考案は、請求項１〜３のいずれか１項に記載した虫取り具において、前記捕獲蓋と捕獲袋は一体に形成されていることを特徴とする虫取り具である。
【考案の効果】
【０００９】
本考案の虫取り具によれば、既存の電気掃除機を使用して電気掃除機の吸込みノズルに付け替えて本考案の虫取り具を取り付けるだけで誰でも簡単に害虫を捕獲することができる。
また捕獲された害虫は捕獲袋内に収容され、捕獲蓋によって逃げ出すことができないから害虫と共に捕獲袋ごと廃棄でき、捕獲後の害虫の処理も容易である。
また電気掃除機の吸込みホースの先端部は長杆状の操作ハンドルになっているから家具と家具の間の小さな隙間や、手の届かない天井や壁の高い所を移動している害虫の捕獲も容易に行える。
【考案を実施するための最良の形態】
【００１０】
本願考案を実施するための最良の形態を図示の実施の形態を例に採って具体的に説明する。
本考案の虫取り具１は既存の電気掃除機３を利用して使用されるハエやゴキブリ等の害虫Ａを捕獲するための虫取り具１である。具体的にはこの虫取り具１は電気掃除機３の吸込みホース５の先端部７に対して取り付けられるホルダ部９と、該ホルダ部９の先端側に取り付けられるノズル部１１と、上記ホルダ部９とノズル部１１の境界に位置する捕獲蓋１３と、捕獲蓋１３に対して取り付けられる捕獲袋１５とを備えている。
【００１１】
ホルダ部９は図示のような略円筒状の部材で先端部内周面には雌ネジ部１７が形成されている。雌ネジ部１７の基端部には円環状の内フランジ部１９が設けられており、当該内フランジ部１９の先端側端面２１と、後述するノズル部１１の基端側端面２３との間に後述する捕獲蓋１３の周縁部２５が進入し挟持されるようになっている。
ホルダ部９の基端部はテーパ状に縮径されており、電気掃除機３の吸込みホース５の先端部７に対する取付基部２７になっている。
【００１２】
ノズル部１１は図示のような先窄まり円筒形状の部材で基端部外周面には雄ネジ部２９が形成されている。そしてこの雄ネジ部２９はホルダ部９の雌ネジ部１７と螺合するようになっており、ノズル部１１ないしホルダ部９を所定の方向に回転させることによってノズル部１１とホルダ部９は接近離反し接続状態と非接続状態とを切り換えることができる。
またノズル部１１ないしホルダ部９を締め付けて行くと、ノズル部１１の上記基端側端面２３とホルダ部９の上記先端側端面２１が接近して行くため、上述した捕獲蓋１３の挟持作用を上記雄ネジ部２９と雌ネジ部１７は併せ持つようになっている。
【００１３】
捕獲蓋１３は弾性変形可能な合成樹脂や合成ゴム等を材料として形成される円板状の部材である。また捕獲蓋１３の中央には３本のスリットを放射状に一例として４５°間隔で交差させることによって形成される８枚の弾性フラップ３１が設けられている。
そしてこれらの弾性フラップ３１は後述するように害虫を捕獲するとき以外においては図６（ａ）、（ｃ）に示すように閉じた状態になっている。
【００１４】
ノズル部１１側から害虫Ａが進入する際には弾性フラップ３１は外側に拡開して、当該害虫Ａを捕獲袋１５内に導くように作用する。一方、捕獲袋１５内に至った害虫Ａが逃げようとしてノズル部１１側に移動し弾性フラップ３１に当接したとしても弾性フラップ３１は閉じているため、当該害虫Ａのノズル部１１側への移動は規制されている。
【００１５】
捕獲袋１５は一例として所定メッシュの網状の袋によって構成されており、電気掃除機３による吸込み風の流れを可能にする通気性が保たれている。
また捕獲袋１５の開放された開口部３３は上述した捕獲蓋１３に対して一体に取り付けられている。
【００１６】
次に本考案の虫取り具１の使用の手順を（１）捕獲前、（２）捕獲時、（３）捕獲後に分けて説明する。
（１）捕獲前（図６（ａ）参照）
最初に電気掃除機３の吸込みホース５の先端部７に取り付けられている吸込みノズル３５を取り外して上記先端部７に本考案の虫取り具１のホルダ部９の取付基部２７を挿し込んで取り付ける。
ホルダ部９内には予め捕獲袋１５を収容しておき、ノズル部１１ないしホルダ部９を締め付けることによって捕獲蓋１３を挟持状態で保持した状態としておく。
そしてノズル部１１の先端部を図示のように捕獲しようとする害虫Ａに向ける。
【００１７】
（２）捕獲時（図６（ｂ）参照）
この状態で電気掃除機３の起動スイッチを押して運転を開始し吸い込み状態にすると、電気掃除機３の吸込み力によって弾性フラップ３１が拡開される。害虫Ａはノズル部１１内に吸い込まれ、弾性フラップ３１が拡開状態となっている捕獲蓋１３を通過して図示のように捕獲袋１５内に至る。そして、電気掃除機３を停止させれば弾性フラップ３１が閉じる。
捕獲袋１５内に至り、捕獲された害虫Ａが逃げようとしても捕獲蓋１３の弾性フラップ３は閉じているのでノズル部１１側への移動が規制される。
【００１８】
（３）捕獲後（図６（ｃ）参照）
捕獲袋１５内に至り捕獲された害虫Ａを廃棄する場合には一体部材である捕獲袋１５と捕獲蓋１３と共にそのまま廃棄される。従って捕獲した害虫Ａを捕獲蓋１３を開けて捕獲袋１５から取り出すというような不衛生且つ煩わしい作業は一切不要である。
また捕獲袋１５及び捕獲蓋１３の着脱作業はノズル部１１とホルダ部９を緩めて再び締め付けるだけでできるため上記着脱作業の手間もそれほど掛からない。
【００１９】
以上、本考案を実施するための最良の形態について詳述してきたが、具体的な構成は上述した構成に限られるものではなく、本考案の要旨を逸脱しない範囲内の一部構成の変更などがあっても本考案に含まれる。
例えば捕獲蓋１３はノズル部１１側からの害虫Ａのホルダ部９への移動を許容するが、その逆方向の移動を許容しない構成であれば前述した構成に限らず種々の構成が採用可能である。例えば弾性フラップ３１を周方向に連接した先窄まりチューブ形状の捕獲蓋１３等を採用することも可能である。
【００２０】
同様に捕獲袋１５も捕獲した害虫Ａが外部に逃げることがなく、所望の吸込み力が確保できる構成であれば前述した構成に限らず種々の構成が採用可能である。例えば軟質のビニール袋に多数の小孔を形成したような構成の捕獲袋１５等を採用することも可能である。
また、ノズル部１１は先窄まり円筒形状としたが、本考案はこれに限定されず、径寸法が全長に渡って同じ円筒状でもよく、また先端部が扁平な形状や先端部が拡径する形状であってもよい。
【産業上の利用可能性】
【００２１】
本考案はハエやゴキブリ等の害虫を捕獲するための虫取り具の製造、使用分野等において利用でき、特に特別の技術を必要とすることなく誰でも簡単に害虫を捕獲し、容易に処理したい場合に利用可能性を有する。
【図面の簡単な説明】
【００２２】
【図１】本考案を実施するための最良の形態に係る虫取り具を電気掃除機に装着した状態を示す斜視図である。
【図２】本考案を実施するための最良の形態に係る虫取り具を示す分解斜視図である。
【図３】本考案を実施するための最良の形態に係る虫取り具を示す側断面図である。
【図４】本考案を実施するための最良の形態に係る虫取り具を示す図３中のＡ−Ａ拡大断面図である。
【図５】本考案を実施するための最良の形態に係る虫取り具を示す図３中のＢ−Ｂ拡大断面図である。
【図６】本考案を実施するための最良の形態に係る虫取り具の使用の手順を捕獲前（ａ）と、捕獲時（ｂ）と、捕獲後（ｃ）に分けて示す説明図である。
【符号の説明】
【００２３】
１  虫取り具      ３  電気掃除機      ５  吸込みホース
７  先端部      ９  ホルダ部      １１  ノズル部
１３  捕獲蓋      １５  捕獲袋      １７  雌ネジ部
１９  内フランジ部      ２１  先端側端面      ２３  基端側端面
２５  周縁部      ２７  取付基部      ２９  雄ネジ部
３１    弾性フラップ    ３３  開口部      ３５  吸込みノズル
Ａ  害虫
【図１】
0003116542.tif 000003
【図２】
0003116542.tif 000004
【図３】
0003116542.tif 000005
【図４】
0003116542.tif 000006
【図５】
0003116542.tif 000007
【図６】
0003116542.tif 000008